(57)【特許請求の範囲】
【請求項１】
撮像素子により撮影した被写体像を画像データに変換する電子的撮像手段と、
動画撮影動作を実行する動画撮影手段と、
前記撮像素子に結像する被写体像を合焦させる合焦手段と、
撮影者からの前記合焦手段の実行を指示する合焦指示手段と、
前記合焦手段を制御する合焦制御手段とを具備し、
前記合焦制御手段は、
前記動画撮影手段が音声記録を伴わない動画撮影時に、合焦ずれ量が許容範囲外となる合焦状態の場合には、前記合焦指示手段による指示とは無関係に前記合焦手段を動作させるように制御し、前記動画撮影手段が音声記録を伴う動画撮影時には、前記動画撮影手段による動画撮影の開始前では前記合焦手段を動作させて、動画撮影の実行時には前記合焦指示手段による指示に応じて前記合焦手段を動作させるように制御する
ことを特徴とする電子カメラ装置。
【請求項２】
前記動画撮影手段による動画撮影中の合焦状態を検出する合焦検出手段と、
前記合焦検出手段により検出された合焦状態を表示する合焦表示手段とを備えたことを特徴とする請求項１記載の電子カメラ装置。
【請求項３】
前記合焦指示手段は、第１操作で撮影準備動作を指示し、第２操作で撮影動作を開始するための操作部材での当該第１操作による指示手段であることを特徴とする請求項１記載の電子カメラ装置。
【発明の詳細な説明】
【０００１】
【発明の属する技術分野】
本発明は、音声記録を伴う動画撮影機能を備えた電子カメラ装置に関する。
【０００２】
【従来の技術】
近年、被写体を電子的撮像機能により画像データに変換して、当該画像データを記録媒体に記録する電子カメラ（ディジタルカメラとも呼ばれている）が普及している。電子カメラは静止画撮影が主機能であるが、最近では動画撮影や、音声記録を伴う動画撮影機能を備えたものも開発されている。
【０００３】
従来、音声記録を伴う動画撮影は、ビデオカメラ（ムービ）の主機能である。音声記録を伴う動画撮影では、音声記録時に、ＡＦ（自動焦点調節または合焦動作）動作のためにレンズ（ＡＦレンズ）を駆動すると、当該レンズの駆動音がノイズとして記録される可能性がある。ビデオカメラは、相対的に筐体全体が大きく、レンズ部と音声マイクとの距離を十分確保できる構造であるため、当該レンズの駆動音がそれ程問題にならない。
【０００４】
しかしながら、電子カメラは、ビデオカメラと比較した場合に筐体が小さいため、レンズ部（レンズ鏡筒）と音声マイクとが近接して配置される構造となってしまう。従って、音声記録に伴う動画撮影を実行すると、ＡＦレンズを駆動するモータやその伝達機構の駆動音が音声と同時に記録されてしまう。
【０００５】
【発明が解決しようとする課題】
音声記録を伴う動画撮影機能を有する電子カメラでは、音声記録中にＡＦ動作が実行されると、レンズ駆動音などの騒音が音声と共にノイズとして記録される不都合がある。このため、音声記録を伴う動画撮影を実行する場合には、動画撮影直前に１回だけＡＦ動作を実行して、撮影開始後の動画撮影中は、ＡＦ動作を禁止している。しかしながら、動画撮影中であっても、被写体との距離が大きく変化すれば、ピントのぼけた画像を撮影することになり、動画撮影の性能が低下してしまう。
【０００６】
そこで，本発明の目的は、音声記録を伴う動画撮影時に、ＡＦ動作に関係する音声記録ノイズを最小限に抑制すると共に、いわゆるピントのぼけた動画撮影を防止できる電子カメラ装置を提供することにある。
【０００７】
【課題を解決するための手段】
本発明は、音声記録を伴う動画撮影時に、自動的に実行するＡＦ動作を禁止して、ＡＦ動作に伴うレンズ駆動音がノイズとして音声記録されることを抑制すると共に、動画撮影中の必要時にＡＦ動作を実行可能にして、許容範囲を超える合焦ずれを防止する電子カメラ装置に関するものである。
【０００８】
即ち、本電子カメラ装置は、撮像素子により撮影した被写体像を画像データに変換する電子的撮像手段と、動画撮影動作を実行する動画撮影手段と、前記撮像素子に結像する被写体像を合焦させる合焦手段と、撮影者からの前記合焦手段の実行を指示する合焦指示手段と、前記合焦手段を制御する合焦制御手段とを具備し、前記合焦制御手段は、前記動画撮影手段が音声記録を伴わない動画撮影時に、合焦ずれ量が許容範囲外となる合焦状態の場合には、前記合焦指示手段による指示とは無関係に前記合焦手段を動作させるように制御し、前記動画撮影手段が音声記録を伴う動画撮影時には、前記動画撮影手段による動画撮影の開始前では前記合焦手段を動作させて、動画撮影の実行時には前記合焦指示手段による指示に応じて前記合焦手段を動作させるように制御するものである。
【０００９】
合焦指示手段は、撮影開始の直前に、撮影準備動作（予備撮影動作）を指示するための第１操作に応じて、合焦動作（ＡＦ動作）を実行させる手段（例えばレリーズボタン又は専用ボタンによるマニュアル手段）に相当する。合焦制御手段は、動画撮影の開始後では自動的な合焦動作（ＡＦ動作）の実行を禁止し、当該合焦指示手段による指示があった場合のみ合焦動作（ＡＦ動作）を実行させる。
【００１０】
このような構成であれば、動画撮影前にＡＦ動作を実行した後は、自動的にＡＦ動作を実行することは無いため、音声記録時にＡＦ動作に伴うレンズ駆動音などがノイズとして音声記録されることを抑制できる。一方、被写体との距離が大きく変化したような場合には、ＡＦ動作を実行できるため、ピントのぼけた画像を撮影するような事態を防止できる。要するに、動画撮影時の音声ノイズの記録を最小限に抑制し、かつ必要に応じてＡＦ動作を実行できるため動画品質の低下を防止できる。
【００１１】
【発明の実施の形態】
以下図面を参照して、本発明の実施の形態を説明する。
【００１２】
（電子カメラの構成）
図１は、同実施形態に関係する電子カメラの要部を示すブロック図である。同電子カメラは、静止画撮影を主機能とする電子スチールカメラ（またはディジタルカメラ）を想定している。同電子カメラは、図１に示すように、大別して撮影系１と、画像処理系２と、制御・操作系３と、表示・出力系４と、音声記録系５とから構成されている。
【００１３】
撮影系１は、光学レンズユニット（ズームレンズ、絞り部、オートフォーカス（ＡＦ）レンズなどを含む）１０と、撮像素子１１と、撮像回路１２と、レンズ駆動モータ１３と、レンズ制御部（ドライバ）１４とを有する。
【００１４】
撮像素子１１は、通常では数百万画素のＣＣＤ（charge coupled device）を有し、光学レンズユニット１０を介して入射した被写体像を光電変換する。撮像回路１２は、撮像素子１１からの撮像信号を入力し、ＡＧＣ（自動利得調整）処理、ＣＤＳ（相関２重サンプリング）処理、及びＡ／Ｄ変換処理などの各種の信号処理を行う。撮像回路１２は、撮影された被写体に対応するディジタル信号からなる画像データを生成する。
【００１５】
画像処理系２は、通常ではＡＳＩＣ（Application Specific Integrated Circuit）から構成されており、撮像回路１２から得られた画像データから画像圧縮処理した撮像画像や、表示用データを生成する。画像処理系２は、第１のＳＲＡＭ（スタティックＲＡＭ）２０Ａと、ディジタル信号プロセッサ（ＤＳＰ）２１と、ＡＦ（自動焦点調節）回路２２と、ＪＰＥＧ方式の画像圧縮／伸張回路２３と、ＡＥ（自動露出制御）回路２４とを有する。
【００１６】
第１のＳＲＡＭ２０Ａは、撮像回路１２から出力される画像データを一時的に格納するためのメモリである。ＤＳＰ２１は、所定のディジタル信号処理（画像処理）を実行すると共に、ＡＦ回路２２及びＡＥ回路２４を制御する。ＡＦ回路２２は、ＡＦエリアの狭い静止画用ＡＦ動作と、ＡＦエリアの広い動画用ＡＦ動作とを変更する機能を有する。なお、ＤＳＰ２１は、ＡＦ回路２２及びＡＥ回路２４以外に、ＡＷＢ（自動ホワイトバランス）回路（図示せず）を制御する。画像圧縮／伸張回路２３は、撮影動作により得られた画像データに対して、ＪＰＥＧ方式の画像圧縮及び画像伸長の各処理を実行する。
【００１７】
さらに、画像処理系２は、画像混合回路２５と、エンコーダ２６と、ＬＣＤインターフェース２７と、Ｄ／Ａコンバータ２８Ａ〜２８Ｃとを備えている。画像混合回路２５は、モニタ用としてＳＲＡＭ２０Ａから出力されるスルー画像または再生時にメモリカード３１から読出された再生画像に、後述する表示データ（図５を参照）をミックスして出力する。エンコーダ２６は、画像混合回路２５から出力される画像データ（スルー画像または再生画像）から、ディジタル輝度データ（Ｙデータ）とディジタル色データ（Ｃデータ）の各ディジタル符号データを生成する。画像用Ｄ／Ａコンバータ２８Ｂは、エンコーダ２５からの出力をアナログの輝度信号（Ｙ信号）と、アナログの色信号（Ｃ信号）に変換して、表示出力系４に出力する。また、ＬＣＤインターフェース２７は、画像混合回路２５から出力される画像データ（スルー画像または再生画像）を表示・出力系４のＬＣＤドライバ４２に出力する。
【００１８】
表示・出力系４は、ＬＣＤ（liquid crystal display）ドライバ４２、ＬＣＤモニタ４３、ＹＣＭＩＸ回路４４、ビデオドライバ４５、ビデオ出力端子４６，後述する音声記録系５に関係する音声出力アンプ回路４１及び音声出力端子４０を有する。
【００１９】
ＬＣＤドライバ４２は、ＬＣＤ用Ｄ／Ａコンバータ２８Ａから出力されるＹ及びＣ信号に対して所定の信号処理（γ処理など）を実行してＬＣＤモニタ４３に出力する。ＬＣＤモニタ４３は、撮影時のスルー画像及びメモリカード３１に記録された再生画像を表示する。ＹＣＭＩＸ回路４４は、画像Ｄ／Ａコンバータ２８Ｂから出力されるアナログ信号からＹＣＭＩＸ信号（輝度信号Ｙと色信号Ｃとの混合信号）を生成する。ビデオドライバ４５は、ＹＣＭＩＸ信号をＮＴＳＣ信号（ＮＴＳＣ規格のビデオ信号）に変換する機能を有し、ビデオ出力端子４６に出力する。ビデオ出力端子４６は、テレビジョン装置等の外部モニタにＮＴＳＣ信号などのビデオ信号を送出するための外部出力端子である。
【００２０】
ここで、音声記録系５は、音声マイク５０と、マイクアンプ回路（ＡＧＣ回路を含む）５１と、Ａ／Ｄコンバータ５２とを有する。Ａ／Ｄコンバータ５２は、マイクアンプ回路５１により増幅された音声アナログ信号を音声ディジタル信号に変換して、画像処理系２に含まれる第２のＳＲＡＭ２０Ｂに出力する。
【００２１】
ＰＣＭモジュレータ２９は、第２のＳＲＡＭ２０Ｂに格納された音声ディジタル信号をディジタル録音又は再生処理を実行する。ディジタル録音時には、音声ディジタデータは、制御・操作系３のＳＤＲＡＭ３０またはメモリカード３１に記録される。また、音声再生時には、ＳＤＲＡＭ３０またはメモリカード３１から読出された音声ディジタルデータは、第２のＳＲＡＭ２０Ｂに一時的に格納されて、音声用Ｄ／Ａコンバータ２８Ｃに出力される。音声用Ｄ／Ａコンバータ２８Ｃは、音声ディジタルデータを音声アナログ信号に変換して、表示・出力系４に含まれる音声出力アンプ回路４１に送られる。
【００２２】
制御・操作系３は、ＳＤＲＡＭ（シンクロナスＤＲＡＭ）３０と、メモリカード３１と、メインＣＰＵ３２と、サブＣＰＵ３３と、フラッシュメモリ３４と、操作部３５と、モードＬＣＤ３６とを有する。ＳＤＲＡＭ３０は、画像処理（音声記録処理も含む）に必要なワークメモリ（一時記憶メモリ）である。メモリカード３１は撮影画像（画像圧縮された画像データ）を保存するための着脱可能な記録媒体であり、例えばフラッシュＥＥＰＲＯＭからなる。なお、メモリカード３１は着脱可能な光磁気ディスク（ＭＯ）や、超小型でカード型のハードディスクドライブでもよい。フラッシュメモリ３４は、メインＣＰＵ３２とサブＣＰＵ３３の動作に必要なプログラムを格納するプログラムメモリである。
【００２３】
メインＣＰＵ３２及びサブＣＰＵ３３は、カメラ本体のシステムコントローラとして機能するマイクロプロセッサである。メインＣＰＵ３２は、例えばＲＩＳＣマイクロプロセッサからなり、カメラ全体の制御（画像処理の制御やディジタルズーム制御、色温度変換処理なども含む）を実行すると共に、同実施形態に関係する合焦状態の判断処理を実行する。具体的には、メインＣＰＵ３２は、ＡＦ回路２２から得られるコントラスト検出値に基づいて、合焦ずれ量が許容範囲外であるか否かを判断する。
【００２４】
サブＣＰＵ３３は、例えば４ビットマイクロプロセッサからなり、操作部３５から入力される操作指示を受け付けてメインＣＰＵ３２に伝達したり、カメラの操作に必要なモード情報をモードＬＣＤ３６に表示するための制御を実行する。また、サブＣＰＵ３３は、操作部３５から操作指示またはメインＣＰＵ３２から指示に応じてレンズ制御部１４を介して、レンズ駆動モータ１３の動作（即ち、合焦動作）を制御する。操作部３５は、カメラの操作に必要な操作ボタン、ダイヤル、キーなどの操作スイッチ群からなる。具体的には、モードダイヤル、レリーズボタン、パワースイッチ、メニュスイッチ、指示用十字キーなどが設けられている。なお、制御・操作系３と画像処理系２とは、データ信号線６０及びアドレス信号線６１を介して、各種のデータ及びアドレスの転送を実行している。
【００２５】
（静止画撮影動作）
同実施形態の電子カメラは、通常の静止画撮影モード及び再生モード以外に、同実施形態に関係する音声記録付の動画撮影モード及び音声記録なしの動画撮影モードを有する。まず、図１と共に，図４のフローチャートを参照して通常の静止画撮影モードでの撮影動作を説明する。
【００２６】
カメラ本体の電源が投入（パワーオン）されて、操作部３５のモードダイヤルにより静止画撮影モードが設定される。このモードにおいて、操作部３５のレリーズボタンの第１操作（半押し操作）がなされると、メインＣＰＵ３２は、撮影準備動作（予備撮影動作）を実行する（ステップＳ３０のＹＥＳ）。この撮影準備動作として、ＡＥ回路２４によるＡＥ動作及びＡＦ回路２２によるＡＦ動作を実行する（ステップＳ３１，Ｓ３２）。ここで、静止画撮影モードでは、ＡＦエリアの狭いＡＦ動作を実行する。この撮影準備動作により、いわゆるピントと露出が固定されることになる。
【００２７】
次に、レリーズボタンの第２操作（押し切り操作）がなされると、メインＣＰＵ３２は、本撮影である静止画撮影動作を実行する（ステップＳ３３のＹＥＳ，Ｓ３４）。即ち、撮影系１により得られた被写体を撮影した画像データは、画像処理系２により各種の処理が実行されて、メモリカード３１に圧縮データとして記録される。撮影中では、ＬＣＤモニタ４３上には、被写体のスルー画像が表示されている。
【００２８】
（動画撮影動作）
次に、操作部３５のモードダイヤルにより、動画撮影モードが設定される。動画撮影モードは、音声記録付の動画撮影モード（音声動画モード）及び音声記録なしの動画撮影モード（音声無し動画モード）からなる。図２のフローチャート及び図５を参照して、同実施形態の音声動画モードを説明する。
【００２９】
操作部３５のモードダイヤルにより、音声動画モードが設定されると、メインＣＰＵ３２は、音声記録と同時に、動画撮影動作を実行するモードになる（ステップＳ１のＹＥＳ）。まず、操作部３５のレリーズボタンの第１操作（半押し操作）がなされると、メインＣＰＵ３２は、前述のように、撮影準備動作（予備撮影動作）を実行する（ステップＳ２のＹＥＳ）。この撮影準備動作として、ＡＥ回路２４によるＡＥ動作及びＡＦ回路２２によるＡＦ動作（ＡＦレンズの駆動制御を含む）を実行する（ステップＳ３，Ｓ４）。ここで、動画撮影モードでは、ＡＦエリアの広い動画用ＡＦ動作を実行する。この撮影準備動作により、いわゆるピントと露出が固定されることになる。
【００３０】
次に、レリーズボタンの第２操作（押し切り操作）がなされると、メインＣＰＵ３２は、本撮影である動画撮影動作を開始する（ステップＳ５のＹＥＳ，Ｓ６）。ここで、メインＣＰＵ３２は、ＡＦ回路２２から得られるコントラスト検出値に基づいて、動画撮影と同時並行的に合焦ずれ状態を判断する処理を実行する（ステップＳ７）。即ち、合焦ずれ量が許容範囲外であるか否かを判断する。
【００３１】
動画撮影開始時には、図５（Ａ）に示すように、ＬＣＤモニタ４３上には、被写体のスルー画像５００を表示すると共に、撮影条件を示す情報を表示する。表示情報としては、動画撮影を示す情報５０１，音声記録を示す情報５０２，ＡＦ情報５０３，シャッタスピードを示す情報５０４がある。
【００３２】
メインＣＰＵ３２は、動画撮影中に合焦ずれ状態（ピントずれ）を判断し、合焦ずれ量が許容範囲外になったときには、ＬＣＤモニタ４３上に当該合焦ずれ量に応じた特定の表示を行なう（ステップＳ８）。具体的には、図５（Ｂ）に示すように、例えば軽いピントずれが発生した場合の特定マーク５０５ＡをＬＣＤモニタ４３上に表示する。また、図５（Ｃ）に示すように、相対的に大きいピントずれが発生した場合の特定マーク５０５ＢをＬＣＤモニタ４３上に表示する。
【００３３】
このようなＬＣＤモニタ４３上の表示状態において、撮影者により再度のレリーズボタンの第１操作（半押し操作）がなされると、メインＣＰＵ３２は、前述の動画用ＡＦ動作を実行する（ステップＳ９のＹＥＳ，Ｓ１０）。この動画用ＡＦ動作により、図５（Ｄ）に示すように、ピントずれが解消された状態で、動画撮影がそのまま継続される（ステップＳ１１のＮＯ）。そして、撮影者によりレリーズボタンの第２操作（押し切り操作）がなされると、メインＣＰＵ３２は、動画撮影動作を終了する（ステップＳ１１のＹＥＳ）。
【００３４】
一方、操作部３５のモードダイヤルにより、音声無し動画モードが設定された場合について、図３のフローチャートを参照して説明する。
【００３５】
まず、撮影準備動作（予備撮影動作）から撮影開始までの手順は、音声記録動作がないが、前述の音声動画モードの場合と同様である。即ち、操作部３５のレリーズボタンの第１操作（半押し操作）がなされると、メインＣＰＵ３２は、前撮影準備動作（予備撮影動作）を実行する（ステップＳ２０のＹＥＳ）。この撮影準備動作として、ＡＥ回路２４によるＡＥ動作及びＡＦ回路２２による動画用ＡＦ動作（ＡＦレンズの駆動制御を含む）を実行する（ステップＳ２１，Ｓ２２）。次に、レリーズボタンの第２操作（押し切り操作）がなされると、メインＣＰＵ３２は、本撮影である動画撮影動作を開始する（ステップＳ２３のＹＥＳ，Ｓ２４）。
【００３６】
ここで、音声動画モードの場合と同様に、メインＣＰＵ３２は、ＡＦ回路２２から得られるコントラスト検出値に基づいて、動画撮影と同時並行的に合焦ずれ状態を判断する処理を実行する（ステップＳ２５）。但し、メインＣＰＵ３２は、音声動画モードの場合とは異なり、合焦ずれ量（ピントずれ）が許容範囲外の場合には、自動的に動画用ＡＦ動作を実行する（ステップＳ２６のＹＥＳ，Ｓ２７）。従って、動画撮影中にピントずれが発生した場合には、自動的にピントずれが解消されて、動画撮影が続行される（ステップＳ２８のＮＯ）。そして、撮影者によりレリーズボタンの第２操作（押し切り操作）がなされると、メインＣＰＵ３２は、動画撮影動作を終了する（ステップＳ２８のＹＥＳ）。
【００３７】
以上のように同実施形態の音声動画モードの場合には、撮影準備動作（予備撮影動作）時に動画用ＡＦ動作を実行して、動画撮影が開始された後では、レリーズボタンの第１操作（即ち、ＡＦ指示操作）が無い場合には、動画用ＡＦ動作を実行しない。従って、動画撮影中の音声記録時に、ＡＦ動作に伴うレンズ駆動音がノイズとして音声に混入するような事態を抑制することができる。
【００３８】
一方、撮影者は、動画撮影中にレリーズボタンの第１操作（ＡＦ指示操作）で、必要に応じて動画用ＡＦ動作を実行できるため、例えば被写体との距離が大きく変化したような場合のピントずれを解消することができる。従って、音声の品質に対して、動画の撮影画質を優先したい場合に有効である。この場合、動画撮影中の合焦ずれ状態（ピントずれ）を判断し、ＬＣＤモニタ４３上に許容範囲害の合焦ずれ量（ピントずれの程度）を表示するため、撮影者は、動画撮影中に動画用ＡＦ動作を実行させるタイミングを容易に判断できる効果もある。
【００３９】
なお，同実施形態では、音声動画モードの場合に、動画撮影中の動画用ＡＦ動作の指示として、レリーズボタンの第１操作を再実行する方法を説明したが、これに限定されるものではない。例えば、操作部３５に専用指示ボタンが設けられて、当該専用指示ボタンの操作があった場合のみ、動画撮影中の動画用ＡＦ動作を実行する構成でもよい。
【００４０】
【発明の効果】
以上詳述したように本発明によれば、音声記録を伴う動画撮影時に、動画撮影前にＡＦ動作を実行した後は、自動的にＡＦ動作を実行することは無いため、音声記録時にＡＦ動作に伴うレンズ駆動音などがノイズとして音声記録されることを抑制できる。一方、被写体との距離が大きく変化したような場合には、ＡＦ動作を実行できるため、ピントのぼけた画像を撮影するような事態を防止できる。要するに、動画撮影時の音声ノイズの記録を最小限に抑制し、かつ必要に応じてＡＦ動作を実行できるためピントのぼけた動画撮影を防止できる。
【図面の簡単な説明】
【図１】本発明の実施形態に関係する電子カメラの要部を示すブロック図。
【図２】同実施形態に関係する音声記録付の動画撮影モードの手順を示すフローチャート。
【図３】同実施形態に関係する音声記録無しの動画撮影モードの手順を示すフローチャート。
【図４】同実施形態に関係する静止画撮影モードの手順を示すフローチャート。
【図５】同音声記録付の動画撮影モード時のモニタ上の表示例を示す図。
【符号の説明】
１…撮影系
２…画像処理系
３…制御・操作系
４…表示・出力系
５…音声記録系
１０…光学レンズユニット
１１…撮像素子（ＣＣＤ）
１２…撮像回路
１３…レンズ駆動モータ
１４…レンズドライバ
２０Ａ…第１のＳＲＡＭ
２０Ｂ…第２のＳＲＡＭ
２１…ＤＳＰ
２２…ＡＦ回路
２３…画像圧縮／伸張ユニット
２４…ＡＥ回路
３０…ＳＤＲＡＭ
３１…メモリカード
３２…メインＣＰＵ
３３…サブＣＰＵ
３４…フラッシュメモリ
３５…操作部
４０…音声出力端子
４１…音声アンプ回路
４２…ＬＣＤドライバ
４３…ＬＣＤモニタ
４４…ＹＣＭＩＸ回路
４５…ビデオドライバ
４６…ビデオ出力端子
５０…音声マイク
５１…マイクアンプ回路
５２…Ａ／Ｄコンバータ
【図１】
0004323063.tif 000002
【図２】
0004323063.tif 000003
【図３】
0004323063.tif 000004
【図４】
0004323063.tif 000005
【図５】
0004323063.tif 000006